【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
データをグラフ上に動的に提示するための方法であって、
各データ点が第１の座標および第２の座標を有する第１のデータ点のセットのグラフ表現を表示するステップであって、少なくとも２本の軸を用いてプロットされる前記第１のデータ点のセットを前記グラフ表現が表し、少なくとも前記２本の軸のうちの第１の軸の第１の範囲が前記第１のデータ点のセットの第１の座標値の範囲に対応しているステップ、
各データ点が第１の座標および第２の座標を有する第２のデータ点のセットを含む第１のデータ更新を受信するステップであって、第１のデータ更新の値の範囲が、前記第１の座標に関する値の範囲であって前記第２のデータ点のセット内の各データ点の値の範囲を含んでおり、前記第１のデータ更新の値の範囲が少なくとも部分的に前記第１の範囲の外側にあるステップ、並びに、
前記グラフ表現を第１回目に、ユーザ操作なしで自動的に、前記第１のデータ更新を用いて、動的に更新するステップであって、前記第１の軸を、前記第１の範囲および前記第１のデータ更新の範囲を含む、更新された前記グラフ表現における第２の範囲と交換することによって、および、前記第１のデータ点のセットおよび更新された前記グラフ表現についての前記第１のデータ更新をプロットすることによって、動的に更新するステップ
を含むことを特徴とする方法。
【請求項２】
グラフ表現を表示する前記ステップは、前記第１の軸の目盛りを示すために前記第１の軸上に少なくとも１つのスケールマークを表示することを含み、前記少なくとも１つのスケールマークの各々は、前記第１の軸上に対応する基準値を表すことを特徴とする請求項１に記載の方法。
【請求項３】
各データ点が第１の座標および第２の座標を有するデータ点の第３のセットを含む第２のデータ更新を受信するステップであって、第２のデータ更新の値の範囲が、前記第１の座標に関する値の範囲であって前記データ点の第３のセットの各データ点の値の範囲を含んでおり、前記第２のデータ更新の値の範囲が前記第２の範囲の外側にあるステップ、並びに、
前記第１の軸を、前記第２の範囲および前記第２のデータ更新の範囲を含む、更新された前記グラフ表現における前記第３の範囲と交換することによって、および、前記第１のデータ点のセット、前記第１のデータ更新、および更新された前記グラフ表現についての前記第２のデータ更新をプロットすることによって、前記グラフ表現を第２回目に、前記第２のデータ更新を用いて更新し、さらに、少なくとも１つのスケールマークを、対応する基準値を更新することによって更新するステップ
をさらに含むことを特徴とする請求項２に記載の方法。
【請求項４】
前記少なくとも１つのスケールマークは、少なくとも１本のグリッド線を含むことを特徴とする請求項２に記載の方法。
【請求項５】
前記少なくとも１つのスケールマークは、少なくとも１つのハッシュマークを含むことを特徴とする請求項２に記載の方法。
【請求項６】
予備のデータ更新であって各データ更新がデータ点の予備の更新のセットを含むものを、前記第１のデータ更新を受信する前記ステップの前に受信するステップであって、該予備の更新のセット内の各データ点が第１の座標および第２の座標を有しており、該予備の更新のセット内の各データ点の各第１の座標についての各値が前記第１の範囲にあるステップ、並びに、
前記グラフ表現を、前記第１の軸に関する前記第１の範囲を用いてプロットされる前記予備のデータ更新を用いて更新するステップ
をさらに含むことを特徴とする請求項１に記載の方法。
【請求項７】
データをグラフ上に動的に提示するためのシステムであって、
各データ点が第１の座標および第２の座標を有する第１のデータ点のセットを保存するための、および、各データ点が第１の座標および第２の座標を有する第２のデータ点のセットを含む第１のデータ更新を保存するためのデータストレージであって、第１のデータ点のセットの値の範囲が、前記第１の座標に関する値の範囲であって前記第１のデータ点のセット内の各データ点の値の範囲を含んでおり、第１のデータ更新の値の範囲が、前記第１の座標に関する値の範囲であって前記第２のデータ点のセット内の各データ点の値の範囲を含んでおり、前記第１のデータ更新の値の範囲が少なくとも部分的に前記第１のデータ点のセットの範囲の外側にあるデータストレージ、並びに、
少なくとも２本の軸を用いてプロットされる前記第１のデータ点のセットのグラフ表現を表示するための、および、前記少なくとも２本の軸を用いてプロットされる第１の更新されたグラフ表現を、前記第１のデータ更新を用いて表示するためのグラフ表現ディスプレイであって、少なくとも前記２本の軸のうちの第１の軸の範囲が、前記第１のデータ点のセットの範囲と対応し、および、第２の範囲が前記第１の軸に関して用いられ、前記第２の範囲が前記第１の範囲および前記第１のデータ更新の範囲を含んでおり、ユーザ操作なしで自動的に、前記第１の更新されたグラフ表現へ動的に更新されるグラフ表現ディスプレイ
を含むことを特徴とするシステム。
【請求項８】
前記グラフ表現ディスプレイは前記第１の軸上に少なくとも１つのスケールマークを表示して前記第１の軸の目盛りを示し、前記少なくとも１つのスケールマークの各々は、前記第１の軸上に対応する基準値を表すことを特徴とする請求項７に記載のシステム。
【請求項９】
前記データストレージが第２のデータ更新をさらに保存するとともに、前記グラフ表現ディスプレイが前記少なくとも２本の軸を用いてプロットされる前記第２のデータ更新を用いた第２の更新されたグラフ表現を表示しており、前記第１の軸を用いて前記第２の更新されたグラフ表現中に表示されるデータ値の範囲に対応する第３の範囲が前記第１の軸に関して用いられ、かつ、少なくとも１つのスケールマークの前記表示が、前記対応する基準値を更新することによって更新されることを特徴とする請求項８に記載のシステム。
【請求項１０】
前記少なくとも１つのスケールマークは、少なくとも１本のグリッド線を含むことを特徴とする請求項８に記載のシステム。
【請求項１１】
前記少なくとも１つのスケールマークは、少なくとも１つのハッシュマークを含むことを特徴とする請求項８に記載のシステム。
【請求項１２】
データをグラフ上に動的に提示するためのコンピュータ可読媒体であって、
各データ点が第１の座標および第２の座標を有する第１のデータ点のセットのグラフ表現を表示するステップであって、少なくとも２本の軸を用いてプロットされる前記第１のデータ点のセットを前記グラフ表現が表し、少なくとも前記２本の軸のうちの第１の軸の第１の範囲が前記第１のデータ点のセットの第１の座標値の範囲に対応しているステップ、
各データ点が第１の座標および第２の座標を有する第２のデータ点のセットを含む第１のデータ更新を受信するステップであって、第１のデータ更新の値の範囲が、前記第１の座標に関する値の範囲であって前記第２のデータ点のセット内の各データ点の値の範囲を含んでおり、前記第１のデータ更新の値の範囲が少なくとも部分的に前記第１の範囲の外側にあるステップ、並びに、
前記グラフ表現を第１回目に、ユーザ操作なしで自動的に、前記第１のデータ更新を用いて、動的に更新するステップであって、前記第１の軸を、前記第１の範囲および前記第１のデータ更新の範囲を含む、更新された前記グラフ表現における第２の範囲と交換することによって、および、前記第１のデータ点のセットおよび更新された前記グラフ表現についての前記第１のデータ更新をプロットすることによって、動的に更新するステップ
を含む動作を実行するための命令を含むことを特徴とするコンピュータ可読媒体。
【請求項１３】
グラフ表現を表示する前記ステップは、前記第１の軸の目盛りを示すために前記第１の軸上に少なくとも１つのスケールマークを表示することを含み、前記少なくとも１つのスケールマークの各々は、前記第１の軸上に対応する基準値を表すことを特徴とする請求項１２に記載のコンピュータ可読媒体。
【請求項１４】
前記動作はさらに、
各データ点が第１の座標および第２の座標を有するデータ点の第３のセットを含む第２のデータ更新を受信するステップであって、第２のデータ更新の値の範囲が、前記第１の座標に関する値の範囲であって前記データ点の第３のセットの各データ点の値の範囲を含んでおり、前記第２のデータ更新の値の範囲が前記第２の範囲の外側にあるステップ、並びに、
前記第１の軸を、前記第２の範囲および前記第２のデータ更新の範囲を含む、更新された前記グラフ表現における前記第３の範囲と交換することによって、および、前記第１のデータ点のセット、前記第１のデータ更新、および更新された前記グラフ表現についての前記第２のデータ更新をプロットすることによって、前記グラフ表現を第２回目に、前記第２のデータ更新を用いて更新し、さらに、少なくとも１つのスケールマークを、対応する基準値を更新することによって更新するステップ
を含むことを特徴とする請求項１３に記載のコンピュータ可読媒体。
【請求項１５】
前記少なくとも１つのスケールマークは、少なくとも１本のグリッド線を含むことを特徴とする請求項１３に記載のコンピュータ可読媒体。
【請求項１６】
前記少なくとも１つのスケールマークは、少なくとも１つのハッシュマークを含むことを特徴とする請求項１３に記載のコンピュータ可読媒体。
【請求項１７】
前記動作はさらに、
予備のデータ更新であって各データ更新がデータ点の予備の更新のセットを含むものを、前記第１のデータ更新を受信する前記ステップの前に受信するステップであって、該予備の更新のセット内の各データ点が第１の座標および第２の座標を有しており、該予備の更新のセット内の各データ点の各第１の座標についての各値が前記第１の範囲にあるステップ、並びに、
前記グラフ表現を、前記第１の軸に関する前記第１の範囲を用いてプロットされる前記予備のデータ更新を用いて更新するステップ
を含むことを特徴とする請求項１２に記載のコンピュータ可読媒体。